(57)【要約】【課題】本発明の課題は、Ｌ字状光コネクタをどの方向からでも差し込める構造とすることにより、使用環境に応じて美観上優れた配線が可能となり、配線するうえで便利に使用ができ、且つ光コネクタの差込方向を意識することなく使用できる光コネクタ用アダプタを提供することにある。【解決手段】本発明は、筒状のアダプタ本体３１の軸方向にフェルール調心用スリーブが設けられ、アダプタ本体３１の両端開口部からそれぞれ差し込まれた光コネクタのフェルール同士がフェルール調心用スリーブ内で突き合わされてコネクタ接続される光コネクタ用アダプタにおいて、アダプタ本体３１の両端開口部近傍にそれぞれ設けられ、光コネクタが上下左右の四方向に方向合わせをして差し込むことができるように、上下左右の四方向に設けられた方向合わせ用ガイド３４１〜３４４を有することを特徴とするものである。【選択図】      図１
2006018004.tif 000002
【特許請求の範囲】
【請求項１】
筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、
前記アダプタ本体の両端開口部近傍にそれぞれ設けられ、光コネクタが上下左右の四方向に方向合わせをして差し込むことができるように、上下左右の四方向に設けられた方向合わせ用ガイドを有することを特徴とする光コネクタ用アダプタ。
【請求項２】
光コネクタが上下左右の四方向に方向合わせをして差し込むことができるように、フェルール調心用スリーブを保持するスリーブホルダが、アダプタ本体の両端開口部内の上下左右にそれぞれ設けられることを特徴とする請求項１に記載の光コネクタ用アダプタ。
【請求項３】
筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、
前記アダプタ本体の一方の端部開口部近傍に設けられ、光コネクタが上下左右の四方向に方向合わせをして差し込むことができるように、上下左右の四方向に設けられた方向合わせ用ガイドを有することを特徴とする光コネクタ用アダプタ。
【請求項４】
光コネクタが上下左右の四方向に方向合わせをして差し込むことができるように、フェルール調心用スリーブを保持するスリーブホルダが、アダプタ本体の一方の端部開口部内の上下左右に設けられることを特徴とする請求項３に記載の光コネクタ用アダプタ。
【請求項５】
コネクタ接続される光コネクタが、ＳＣ形光コネクタ同士であることを特徴とする請求項１乃至４のいずれか１に記載の光コネクタ用アダプタ。
【請求項６】
コネクタ接続される光コネクタが、異なった形状を持った光コネクタ同士であることを特徴とする請求項１乃至４のいずれか１に記載の光コネクタ用アダプタ。
【請求項７】
光コネクタとして、Ｌ字状の光コネクタが用いられることを特徴とする請求項１乃至６のいずれか１に記載の光コネクタ用アダプタ。
【請求項８】
筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、
前記アダプタ本体の一方の光コネクタ差込口が、他方の光コネクタ差込口に対して、フェルール調心用スリーブを軸として光コネクタのフェルール同士が非接触の状態で回転自在に設けられることを特徴とする光コネクタ用アダプタ。
【請求項９】
コネクタ接続される光コネクタが、ＳＣ形光コネクタ同士であることを特徴とする請求項８に記載の光コネクタ用アダプタ。
【請求項１０】
コネクタ接続される光コネクタが、異なった形状を持った光コネクタ同士であることを特徴とする請求項８に記載の光コネクタ用アダプタ。
【請求項１１】
光コネクタとして、Ｌ字状の光コネクタが用いられることを特徴とする請求項８、９又は１０に記載の光コネクタ用アダプタ。
【発明の詳細な説明】
【技術分野】
【０００１】
本発明は、筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタに係り、特に光コネクタの差込方向が限定されることなくＬ字状光コネクタが有効に活用できる光コネクタ用アダプタに関するものである。
【背景技術】
【０００２】
従来の光コネクタ用アダプタ技術としては、例えばＳＣ（Ｓｉｎｇｌｅ  ｆｉｂｅｒ  Ｃｏｕｐｌｉｎｇ）形光コネクタ用アダプタがある。このＳＣ形光コネクタ用アダプタは、筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される。光ファイバは単体では細くて折れやすいため、フェルールと呼ばれる円筒棒体の部品の中心に接着固定される。このフェルール同士を割りスリーブと呼ばれる弾性を持ったフェルール調心用スリーブ内に双方から差し込み、互いに突き合わせることによって光ファイバ同士を接続する。
【０００３】
図７は従来のＳＣ形光コネクタ用アダプタを示す構成斜視図である。すなわち、筒状のハウジングよりなるアダプタ本体１１の中心軸部には貫通孔１２が設けられ、この貫通孔１２内にはフェルール調心用スリーブ（図示せず）が軸方向に設けられている。前記アダプタ本体１１の両端開口部内にはそれぞれスリーブホルダ１３が設けられると共に、前記アダプタ本体１１の両端開口部近傍には光コネクタの取付方向を合わせる溝状の方向合わせ用ガイド１４が設けられる。
【０００４】
図８は従来の光コネクタ接続状態を示す構成斜視図である。すなわち、建物の壁に取り付けられるスイッチボックス２１には、図７に示すようなＳＣ形光コネクタ用アダプタ２２が両端開口部の一方を表面に開口するようにして取り付けられる。前記ＳＣ形光コネクタ用アダプタ２２の表面開口部にはＬ字状光コネクタ２３が差し込まれて接続される。この場合、ＳＣ形光コネクタ用アダプタ２２には光コネクタの取付方向を合わせる方向合わせ用ガイド２４が突出して設けられ、この方向合わせ用ガイド２４が溝状の方向合わせ用ガイド１４に挿入されることにより、Ｌ字状光コネクタ２３の取付方向が合わせられる。
【０００５】
しかしながら、従来のＳＣ形光コネクタ用アダプタ２２には一つの方向合わせ用ガイド１４だけであるので、Ｌ字状光コネクタ２３を１方向にしか差し込むことができなかった。
【０００６】
従来の公知文献としては、ＪＩＳ規格において、方向合わせガイドが１つしかない光ファイバコネクタがあった（例えば、非特許文献１参照。）。
【非特許文献１】平河喜美男編集兼発行人  「ＪＩＳ  Ｃ５９７３  Ｆ０４形単心光ファイバコネクタ」財団法人日本規格協会  平成１０年６月３０日  ｐ．２９
【発明の開示】
【発明が解決しようとする課題】
【０００７】
今日、どこの部屋でも自由にインターネットにつなげられる宅内ＬＡＮの敷設が盛んになってきている。従来はＵＴＰ（Ｕｎｓｈｉｅｌｄｅｄ  Ｔｗｉｓｔｅｄ−Ｐａｉｒ）ケーブルを使用した宅内ＬＡＮが主流であったが、光ファイバを使用したサービスが盛んになるにつれ、光ファイバケーブルを使用したＬＡＮが今後普及してくる。
【０００８】
従来技術にあるようなＳＣ形光コネクタ用アダプタを部屋内に設置してあるスイッチボックスへ設置すると、壁際から光コネクタが突出する形態となり美観上好ましくないばかりか、足を引っ掛ける恐れがあるなどの問題があった。
【０００９】
そこで、Ｌ字状光コネクタを使用することで壁からの光コネクタの突出を少なくし、美観、安全性を向上させた方法がとられてきた。
【００１０】
しかしながら、この方法を用いてもＬ字状光コネクタを差し込もうとすると差込方向が限定されてしまい、Ｌ字状光コネクタの特徴を活かすことのできる構造ではなく、使用環境によっては美観上、また配線するうえでの不便なところがあり何らかの対策をとる必要があった。
【００１１】
本発明は上記の事情に鑑みてなされたもので、Ｌ字状光コネクタをどの方向からでも差し込める構造とすることにより、使用環境に応じて美観上優れた配線が可能となり、配線するうえで便利に使用ができ、且つ光コネクタの差込方向を意識することなく使用できる光コネクタ用アダプタを提供することを目的とする。
【課題を解決するための手段】
【００１２】
上記目的を達成するために本発明は、筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、前記アダプタ本体の両端開口部近傍にそれぞれ設けられ、光コネクタが上下左右の四方向に方向合わせをして差し込むことができるように、上下左右の四方向に設けられた方向合わせ用ガイドを有することを特徴とするものである。
【００１３】
また本発明は、前記光コネクタ用アダプタにおいて、光コネクタが上下左右の四方向に方向合わせをして差し込むことができるように、フェルール調心用スリーブを保持するスリーブホルダが、アダプタ本体の両端開口部内の上下左右にそれぞれ設けられることを特徴とするものである。
【００１４】
また本発明は、筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、前記アダプタ本体の一方の端部開口部近傍に設けられ、光コネクタが上下左右の四方向に方向合わせをして差し込むことができるように、上下左右の四方向に設けられた方向合わせ用ガイドを有することを特徴とするものである。
【００１５】
また本発明は、前記光コネクタ用アダプタにおいて、光コネクタが上下左右の四方向に方向合わせをして差し込むことができるように、フェルール調心用スリーブを保持するスリーブホルダが、アダプタ本体の一方の端部開口部内の上下左右に設けられることを特徴とするものである。
【００１６】
また本発明は、筒状のアダプタ本体の軸方向にフェルール調心用スリーブが設けられ、前記アダプタ本体の両端開口部からそれぞれ差し込まれた光コネクタのフェルール同士が前記フェルール調心用スリーブ内で突き合わされてコネクタ接続される光コネクタ用アダプタにおいて、前記アダプタ本体の一方の光コネクタ差込口が、他方の光コネクタ差込口に対して、フェルール調心用スリーブを軸として光コネクタのフェルール同士が非接触の状態で回転自在に設けられることを特徴とするものである。
【００１７】
また本発明は、前記光コネクタ用アダプタにおいて、コネクタ接続される光コネクタが、ＳＣ形光コネクタ同士であることを特徴とするものである。
【００１８】
また本発明は、前記光コネクタ用アダプタにおいて、コネクタ接続される光コネクタが、異なった形状を持った光コネクタ同士であることを特徴とするものである。
【００１９】
また本発明は、前記光コネクタ用アダプタにおいて、光コネクタとして、Ｌ字状の光コネクタが用いられることを特徴とするものである。
【発明の効果】
【００２０】
本発明の光コネクタ用アダプタは、Ｌ字状光コネクタをどの方向からでも差し込める構造とすることにより、使用環境に応じて美観上優れた配線が可能となり、配線するうえで便利に使用ができ、且つ光コネクタの差込方向を意識することなく使用でき、宅内光配線の普及を図ることができる。
【発明を実施するための最良の形態】
【００２１】
以下図面を参照して本発明の実施の形態例を詳細に説明する。
【００２２】
図１は本発明の実施形態例に係るＳＣ形光コネクタ用アダプタの一例を示す構成斜視図である。すなわち、矩形筒状のハウジングよりなるアダプタ本体３１の中心軸部には貫通孔３２が設けられ、この貫通孔３２内にはフェルール調心用スリーブ（図示せず）が軸方向に設けられる。前記アダプタ本体３１の両端開口部近傍にはＬ字状のＳＣ形光コネクタの取付方向を合わせる溝状の方向合わせ用ガイド３４１〜３４４がそれぞれ対応して設けられる。前記方向合わせ用ガイド３４１〜３４４はＬ字状のＳＣ形光コネクタが上下左右の四方向に方向合わせをして差し込むことができるように、アダプタ本体３１の両端開口部近傍の上下左右の四方向に設けられる。前記アダプタ本体３１の両端開口部内にはフェルール調心用スリーブを保持するスリーブホルダ３３がそれぞれ対応して設けられる。前記スリーブホルダ３３はＬ字状のＳＣ形光コネクタが上下左右の四方向に方向合わせをして差し込むことができるように、アダプタ本体３１の両端開口部内にフェルール調心用スリーブを囲むように上下左右に設けられる。前記アダプタ本体３１の両端開口部からそれぞれ差し込まれたＬ字状のＳＣ形光コネクタのフェルール同士が前記フェルール調心用スリーブ内で突き合わされてコネクタ接続される。
【００２３】
尚、上記実施形態例では、Ｌ字状のＳＣ形光コネクタが上下左右の四方向に方向合わせをして差し込むことができる方向合わせ用ガイドを、アダプタ本体の両端開口部近傍にそれぞれ設けたが、これに限らず、アダプタ本体の一方の端部開口部近傍にのみ設けるようにしてもよい。また、フェルール調心用スリーブを保持するスリーブホルダを、アダプタ本体の両端開口部内の上下左右に設けが、これに限らずアダプタ本体の一方の端部開口部内にのみ設けるようにしてもよい。
【００２４】
図２（ａ）〜（ｄ）は本発明の実施形態例に係るＬ字状のＳＣ形光コネクタ接続状態の一例を示す構成斜視図である。すなわち、建物の壁に取り付けられるスイッチボックス４１には、図１に示すようなＳＣ形光コネクタ用アダプタ４２が両端開口部の一方を表面に開口するようにして取り付けられる。前記ＳＣ形光コネクタ用アダプタ４２の表面開口部にはＬ字状のＳＣ形光コネクタ４３が差し込まれて接続される。この場合、Ｌ字状のＳＣ形光コネクタ４３には光コネクタの取付方向を合わせる方向合わせ用ガイド４４が突出して設けられ、このＬ字状のＳＣ形光コネクタ４３の方向合わせ用ガイド４４がＳＣ形光コネクタ用アダプタ４２の溝状の方向合わせ用ガイド３４１〜３４４の一つに挿入されることにより、Ｌ字状のＳＣ形光コネクタ４３の取付方向が合わせられる。すなわち、図２（ａ）はＬ字状のＳＣ形光コネクタ４３の方向合わせ用ガイド４４がＳＣ形光コネクタ用アダプタ４２の溝状の方向合わせ用ガイド３４１に挿入されて、Ｌ字状のＳＣ形光コネクタ４３が下方向に接続された場合である。図２（ｂ）はＬ字状のＳＣ形光コネクタ４３の方向合わせ用ガイド４４がＳＣ形光コネクタ用アダプタ４２の溝状の方向合わせ用ガイド３４２に挿入されて、Ｌ字状のＳＣ形光コネクタ４３が左方向に接続された場合である。図２（ｃ）はＬ字状のＳＣ形光コネクタ４３の方向合わせ用ガイド４４がＳＣ形光コネクタ用アダプタ４２の溝状の方向合わせ用ガイド３４３に挿入されて、Ｌ字状のＳＣ形光コネクタ４３が上方向に接続された場合である。図２（ｄ）はＬ字状のＳＣ形光コネクタ４３の方向合わせ用ガイド４４がＳＣ形光コネクタ用アダプタ４２の溝状の方向合わせ用ガイド３４４に挿入されて、Ｌ字状のＳＣ形光コネクタ４３が右下方向に接続された場合である。
【００２５】
図３（ａ），（ｂ）は本発明の実施形態例に係るＳＣ形光コネクタ用アダプタの他の例を示す構成斜視図である。すなわち、円筒状のハウジングよりなるアダプタ本体５１１と５１２は同一軸上に互いに噛み合い離れず回転自在に設けられる。前記アダプタ本体５１１と５１２の中心軸部には貫通孔５２が設けられ、この貫通孔５２内にはフェルール調心用スリーブ（図示せず）が軸方向に設けられる。前記アダプタ本体５１１と５１２のそれぞれ開口部内にはフェルール調心用スリーブを保持するスリーブホルダ５３がそれぞれ対応して設けられる。前記アダプタ本体５１１の開口部である光コネクタ差込口は、前記アダプタ本体５１２の開口部である光コネクタ差込口に対して、フェルール調心用スリーブを軸として光コネクタのフェルール同士が非接触の状態で回転自在に設けられる。前記アダプタ本体５１１と５１２の両端開口部の光コネクタ差込口からそれぞれ挿入されたＬ字状のＳＣ形光コネクタのフェルール同士が前記フェルール調心用スリーブ内で突き合わされてコネクタ接続される。
【００２６】
図３（ａ）はアダプタ本体５１１の開口部である光コネクタ差込口が回転前の状態を示し、図３（ｂ）はアダプタ本体５１１の開口部である光コネクタ差込口が、アダプタ本体５１２の開口部である光コネクタ差込口に対して、フェルール調心用スリーブを軸として光コネクタのフェルール同士が非接触の状態で回転した状態を示す。
【００２７】
図４（ａ），（ｂ）は本発明の実施形態例に係るＬ字状のＳＣ形光コネクタを図３のＳＣ形光コネクタ用アダプタに接続する接続前の状態を示す構成説明図である。すなわち、図４（ａ）に示すように、アダプタ本体５１１の開口部である光コネクタ差込口が回転前の状態においては、Ｌ字状のＳＣ形光コネクタ５４は下方向に方向合わせをして差し込まれることになる。一方、図４（ｂ）に示すように、アダプタ本体５１１の開口部である光コネクタ差込口が９０°回転した状態においては、Ｌ字状のＳＣ形光コネクタ５４は左方向に方向合わせをして差し込まれることになる。５５１，５５２はフェルール調心用スリーブである。
【００２８】
図５（ａ），（ｂ）は本発明の実施形態例に係るＬ字状のＳＣ形光コネクタを図３のＳＣ形光コネクタ用アダプタに接続する接続後の状態を示す構成説明図である。すなわち、図５（ａ）に示すように、アダプタ本体５１１の開口部である光コネクタ差込口が回転前の状態においては、Ｌ字状のＳＣ形光コネクタ５４は下方向に方向合わせをして差し込まれて接続される。一方、図５（ｂ）に示すように、アダプタ本体５１１の開口部である光コネクタ差込口が９０°回転した状態においては、Ｌ字状のＳＣ形光コネクタ５４は左方向に方向合わせをして差し込まれて接続される。
【００２９】
図６（ａ）〜（ｄ）は本発明の実施形態例に係るＬ字状のＳＣ形光コネクタ接続状態の他の例を示す構成斜視図である。すなわち、建物の壁に取り付けられるスイッチボックス６１には、図３に示すようなＳＣ形光コネクタ用アダプタ６２がアダプタ本体５１２をスイッチボックス６１の内部で固定され、アダプタ本体５１１の開口部である光コネクタ差込口が回転自在に取り付けられる。前記ＳＣ形光コネクタ用アダプタ６２の開口部である光コネクタ差込口にはＬ字状のＳＣ形光コネクタ６３が差し込まれて接続される。この場合、Ｌ字状のＳＣ形光コネクタ６３には光コネクタの取付方向を合わせる方向合わせ用ガイド６４が突出して設けられ、このＬ字状のＳＣ形光コネクタ６３の方向合わせ用ガイド６４がＳＣ形光コネクタ用アダプタ６２の溝状の方向合わせ用ガイド６５に挿入されることにより、Ｌ字状のＳＣ形光コネクタ６３の取付方向が合わせられる。すなわち、図６（ａ）はＳＣ形光コネクタ用アダプタ６２の光コネクタ差込口が回転前の場合であり、Ｌ字状のＳＣ形光コネクタ６３は下方向に方向合わせをして接続される。図２（ｂ）はＳＣ形光コネクタ用アダプタ６２の光コネクタ差込口が９０°回転した場合であり、Ｌ字状のＳＣ形光コネクタ６３は左方向に方向合わせをして接続される。図２（ｃ）はＳＣ形光コネクタ用アダプタ６２の光コネクタ差込口が１８０°回転した場合であり、Ｌ字状のＳＣ形光コネクタ６３は上方向に方向合わせをして接続される。図２（ｄ）はＳＣ形光コネクタ用アダプタ６２の光コネクタ差込口が２７０°回転した場合であり、Ｌ字状のＳＣ形光コネクタ６３は右方向に方向合わせをして接続される。
【００３０】
尚、本発明は、光コネクタ用アダプタにおいて、コネクタ接続される光コネクタは、ＳＣ形光コネクタ同士であってもよく、また、ＳＣ形光コネクタとＦＣ（Ｆｉｂｅｒ  Ｃｏｎｎｅｃｔｏｒ）形光コネクタなど、異なった形状を持った光コネクタ同士であってもよい。また、光コネクタは、Ｌ字状の光コネクタに限らず、直線状の光コネクタを用いるようにしてもよい。
【００３１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３２】
【図１】本発明の実施形態例に係るＳＣ形光コネクタ用アダプタの一例を示す構成斜視図である。
【図２】本発明の実施形態例に係るＬ字状のＳＣ形光コネクタ接続状態の一例を示す構成斜視図である。
【図３】本発明の実施形態例に係るＳＣ形光コネクタ用アダプタの他の例を示す構成斜視図である。
【図４】本発明の実施形態例に係るＬ字状のＳＣ形光コネクタを図３のＳＣ形光コネクタ用アダプタに接続する接続前の状態を示す構成説明図である。
【図５】本発明の実施形態例に係るＬ字状のＳＣ形光コネクタを図３のＳＣ形光コネクタ用アダプタに接続する接続後の状態を示す構成説明図である。
【図６】本発明の実施形態例に係るＬ字状のＳＣ形光コネクタ接続状態の他の例を示す構成斜視図である。
【図７】従来のＳＣ形光コネクタ用アダプタを示す構成斜視図である。
【図８】従来の光コネクタ接続状態を示す構成斜視図である。
【符号の説明】
【００３３】
３１    アダプタ本体
３２    貫通孔
３３    スリーブホルダ
３４１〜３４４    方向合わせ用ガイド
【図１】
2006018004.tif 000003
【図２】
2006018004.tif 000004
【図３】
2006018004.tif 000005
【図４】
2006018004.tif 000006
【図５】
2006018004.tif 000007
【図６】
2006018004.tif 000008
【図７】
2006018004.tif 000009
【図８】
2006018004.tif 000010